(57)【要約】【課題】低音域の音を発音可能な楽器の演奏による低音を好適に増強して出力できる低音増強処理装置、楽器用スピーカ装置、および音響効果装置を提供すること。【解決手段】本発明によれば、低音域に属する少なくとも１つの周波数帯域の楽音信号が、圧縮手段と増強手段とを有する低音増強処理手段によって増強される。低音増強処理手段は、所定レベル以上の楽音信号が圧縮手段により圧縮され、後段に位置するパワーアンプへの低音域の入力レベルが大きくなり過ぎない一方で、小さいレベルの楽音信号についても、増強手段による増強がされているので十分な音圧で出力できる。また、低音増強処理手段に入力される楽音信号の入力レベルに基づき、当該低音増強処理手段による入出力レベル比が決定されるように、制御手段による制御が行われるので、入力レベルが大きい場合であっても、出力レベルが入力レベルより小さくなる不都合を防ぐことができる。【選択図】図６
2012156649.tif 000002
【特許請求の範囲】
【請求項１】
低音域の音を発音可能な弦楽器の演奏に基づく楽音信号を入力する入力手段と、前記入力手段から入力された楽音信号又は前記入力された楽音信号に対して所定の効果付与処理を施した後の楽音信号を複数の周波数帯域に分割する帯域分割手段と、前記帯域分割手段により分割された周波数帯域のうち、低音域に属する少なくとも１つの周波数帯域の楽音信号を増強して出力する低音増強処理手段とを備え、パワーアンプより前段に設けられる低音増強処理装置であって、
前記低音増強処理手段は、
所定レベル以上の楽音信号を所定の圧縮特性で圧縮する圧縮手段と、
前記圧縮手段より前段及び／又は後段に設けられ、入力された楽音信号を増強して出力する増強手段とを備え、
前記圧縮手段による圧縮と前記増強手段による増強とにより、前記低音増強処理手段に入力された楽音信号を増強して出力するものであり、
前記低音増強処理装置は、さらに、
前記低音増強処理手段に入力される楽音信号の入力レベルに基づき、前記低音増強処理手段による入出力レベル比を決めるように、前記圧縮手段による圧縮及び／又は前記増強手段による増強を制御する制御手段を備えていることを特徴とする低音増強処理装置。
【請求項２】
前記制御手段は、前記低音増強処理手段に入力される楽音信号の入力レベルの上昇に伴って前記低音増強処理手段による入出力レベル比が大きくなるように、前記圧縮手段による圧縮及び／又は前記増強手段による増強を制御するものであることを特徴とする請求項１記載の低音増強処理装置。
【請求項３】
前記圧縮手段は、前記所定レベルを閾値として、前記所定レベルより大きい楽音信号を、前記所定レベル以下の楽音信号より大きく圧縮するような圧縮特性で楽音信号の圧縮を行うものであり、
前記制御手段は、前記低音増強処理手段に入力される楽音信号の入力レベルに基づき、前記入力レベルの上昇に伴って前記圧縮手段において閾値とされる前記所定レベルを連続的又は段階的に大きくすることにより、前記低音増強処理手段による入出力レベル比が大きくなるように制御するものであることを特徴とする請求項１又は２に記載の低音増強処理装置。
【請求項４】
ゲインの値を設定するために操作されるゲイン設定手段と、
前記ゲイン設定手段により設定されたゲインの値に基づき、前記低音増強処理手段に入力される楽音信号の入力レベルを調整する入力レベル調整手段とを備え、
前記制御手段は、前記ゲイン設定手段により設定されたゲインの値に基づき、前記低音増強処理手段に入力される楽音信号の入力レベルの上昇に伴って前記低音増強処理手段による入出力レベル比が連続的又は段階的に大きくなるように、前記圧縮手段による圧縮及び／又は前記増強手段による増強を制御するものであることを特徴とする請求項１から３のいずれかに記載の低音増強処理装置。
【請求項５】
前記低音増強処理手段に入力される楽音信号の入力レベルの経時変化を監視する監視手段を備え、
前記制御手段は、前記監視手段により監視される前記入力レベルの経時変化に基づき、前記低音増強処理手段に入力される楽音信号の入力レベルの上昇に伴って前記低音増強処理手段による入出力レベル比が連続的又は段階的に大きくなるように、前記圧縮手段による圧縮及び／又は前記増強手段による増強を制御するものであることを特徴とする請求項１から３のいずれかに記載の低音増強処理装置。
【請求項６】
前記弦楽器はベースであることを特徴とする請求項１から５のいずれかに記載の低音増強処理装置。
【請求項７】
前記請求項１から６のいずれかに記載の低音増強処理装置と、
前記低音増強処理装置より後段に設けられるパワーアンプと、
前記パワーアンプからの出力を放音するスピーカとを備えていることを特徴とする楽器用スピーカ装置。
【請求項８】
内部空間を有し、前記低音増強処理装置と、前記パワーアンプと、前記スピーカとが搭載される筐体と、
前記筐体の内部空間と前記筐体の外部とを連通するバスレフ用の開口部とを備え、
前記低音増強処理手段により処理される周波数帯域が、前記バスレフ用の開口部による共振周波数を含む帯域であることを特徴とする請求項７記載の楽器用スピーカ装置。
【請求項９】
前記低音増強処理装置より前段に設けられ、１よりも大きな通過ゲインを有し得、楽音信号に効果を付与する１又は複数の効果装置を備えていることを特徴とする請求項７又は８に記載の楽器用スピーカ装置。
【請求項１０】
前記請求項１から６のいずれかに記載の低音増強処理装置と、
前記低音増強処理装置より前段に設けられ、１よりも大きな通過ゲインを有し得、楽音信号に効果を付与する１又は複数の効果装置とを備えていることを特徴とする音響効果装置。
【発明の詳細な説明】
【技術分野】
【０００１】
本発明は、低音増強処理装置、楽器用スピーカ装置、および音響効果装置に関し、特に、低音域の音を発音可能な楽器の演奏による低音を入力信号のレベルの大小によることなく好適に増強して出力できる低音増強処理装置、楽器用スピーカ装置、および音響効果装置に関する。
【背景技術】
【０００２】
従来、低音域の音を発音可能な弦楽器（例えば、ベース）に接続されるアンプにおいては、その低音域の音を十分な音圧で出力することが要求される。この要求に対し、スピーカの口径を大きくしたり、イコライザなどで低音域の信号のレベルを上げたりすることにより、低音域の音の音圧を上げていた。あるいは、低音域の音の音圧を上げるために、バスレフ構造のキャビネットを有するスピーカ装置を用いていた（例えば、特許文献１）。
【先行技術文献】
【特許文献】
【０００３】
【特許文献１】特開２００６−１２９１９９号公報
【発明の概要】
【発明が解決しようとする課題】
【０００４】
しかしながら、大口径のスピーカを用いる場合には、コスト増加に伴って価格が高価になると共に、そのスピーカを取り付けるキャビネットが大型化するために取り扱い（運搬など）が不便となる。
【０００５】
また、スピーカの振動板の振幅幅は低域である程大きいので、イコライザなどで低音域の信号のレベルを上げ過ぎてしまうと、振動板の振動がスピーカの許容範囲を超えて異音が発生することがある。一方、パワーアンプには許容最大入力レベル（許容される最大の入力レベル）があり、パワーアンプに入力される信号のレベルが許容最大入力レベルを超えると、パワーアンプからの出力に歪みが生じる。さらに、バスレフ構造のスピーカ装置は、キャビネットの開口部（ポート）を出入りする空気によって風切り音が出ることがあり、この風切り音は、スピーカの振動板の振幅がある程度大きくなった場合に急激に増える傾向がある。これらの事情から、パワーアンプに入力される又はスピーカから出力される低音域の信号レベルに制限が生じる。
【０００６】
本発明は、上述した事情を鑑みてなされたものであり、低音域の音を発音可能な楽器（例えば、ベース）の演奏による低音を好適に増強して出力できる低音増強処理装置、楽器用スピーカ装置、および音響効果装置を提供することを目的としている。
【課題を解決するための手段および発明の効果】
【０００７】
この目的を達成するために、請求項１記載の低音増強処理装置によれば、低音域の音を発音可能な弦楽器（例えば、ベース）の演奏に基づく楽音信号が入力手段から入力された場合に、その楽音信号（即ち、入力信号）又はその楽音信号に対して所定の効果付与処理を施した後の楽音信号を帯域分割手段によって複数の周波数帯域に分割し、分割された周波数帯域の中で、低音域に属する少なくとも１つの周波数帯域の楽音信号が低音増強処理手段によって増強される。この低音増強処理手段は、所定レベル以上の楽音信号を所定の圧縮特性で圧縮する圧縮手段と、その圧縮手段より前段及び／又はその圧縮手段より後段に設けられて、入力された楽音信号を増強して出力する増強手段とを有しており、上記圧縮手段による圧縮と、上記増強手段による増強とにより、当該低音増強処理手段に入力された楽音信号を増強して出力する。つまり、所定レベル以上の楽音信号が圧縮手段により圧縮されているために、低音増強処理装置より後段に位置するパワーアンプへの低音域の入力レベルが大きくなり過ぎない一方で、小さいレベルの楽音信号についても、増強手段による増強がされているので十分な音圧で出力することができる。
【０００８】
その一方で、上記低音増強処理手段が備える圧縮手段は、所定レベル以上の楽音信号が圧縮されて出力されるという構成上、入力レベルが大きくなった場合に、低音増強処理手段からの出力レベルが入力レベルより却って小さくなるという不都合が生じ得る。入力レベルより却って小さいレベルの信号が低音増強手段から出力されると、低音域の音圧に不足が生じる。また、入力手段からの入力される楽音信号のレベルが小さく、低音増強手段に入力される楽音信号のレベルが常に所定レベルより小さければ、低音域が過度に増強されてしまうという不都合が生じ得る。しかしながら、請求項１に係る低音増強処理装置によれば、低音増強処理手段に入力される楽音信号の入力レベルに基づき、当該低音増強処理手段による入出力レベル比が決定されるように、制御手段により、圧縮手段による圧縮及び／又は増強手段による増強が制御されるので、入力レベルに応じた出力レベルでの出力が可能となり、上述した不都合を解消することができる。
【０００９】
従って、請求項１記載の低音増強処理装置によれば、低音域の音を発音可能な楽器の演奏による低音を入力信号のレベルの大小によることなく好適に増強して出力できるという効果がある。
【００１０】
請求項２記載の低音増強処理装置によれば、請求項１が奏する効果に加えて、次の効果を奏する。低音増強処理手段に入力される楽音信号の入力レベルの上昇に伴って当該低音増強処理手段による入出力レベル比が大きくなる（即ち、増強される）ように、制御手段により、圧縮手段による圧縮及び／又は増強手段による増強が制御される。これにより、低音増強処理手段に入力される所定レベル以上の楽音信号が圧縮されて出力される構成であっても、入力された楽音信号をその入力レベルに依ることなく増強して出力することができる。例えば、演奏者によっては、演奏上の意図として、入力手段から入力された楽音信号の入力レベルが大きくなるように調整することにより、音を歪ませることがあるが、そのような場合であっても、低音増強処理手段からの出力レベルが入力レベルより却って小さくなることを防ぐことができ、低音域を十分な音圧で出力することができる。よって、請求項２記載の低音増強処理装置によれば、低音域の音を発音可能な楽器の演奏による低音を演奏者の意図に応じて好適に増強して出力できるという効果がある。
【００１１】
請求項３記載の低音増強処理装置によれば、請求項１又は２が奏する効果に加えて、次の効果を奏する。低音増強処理手段に入力される楽音信号の入力レベルに基づき当該低音増強処理手段による入出力レベル比が大きくなるように、制御手段により、圧縮手段において閾値が、低音増強処理手段に入力される楽音信号の入力レベルの上昇に伴って、連続的又は段階的に、所定レベルより大きいレベルとされる。これにより、低音増強処理手段に入力される所定レベル（閾値）以上の楽音信号が圧縮されて出力される構成であっても、入力された楽音信号をその入力レベルに依ることなく増強して出力することができる上に、圧縮手段による圧縮を行う閾値の変更によるものであるので、その際の音質の劣化を防ぐことができる。よって、請求項３記載の低音増強処理装置によれば、低音域の音を発音可能な楽器の演奏による低音を好適に増強して出力できるという効果がある。
【００１２】
請求項４記載の低音増強処理装置によれば、請求項１から３のいずれかが奏する効果に加え、次の効果を奏する。ゲイン設定手段が操作されたことにより設定されたゲインの値に基づき、低音増強処理手段に入力される楽音信号の入力レベルが入力レベル調整手段により調整される。ゲイン設定手段により設定されたゲインの値に基づき、低音増強処理手段に入力される楽音信号の入力レベルの上昇に伴って当該低音増強処理手段による入出力レベル比が連続的又は段階的に大きくなるように、制御手段により、圧縮手段による圧縮及び／又は増強手段による増強が制御される。よって、演奏者が、例えば、演奏上の意図として出力音を歪ませるためにゲイン調整手段を操作した場合であっても、低音増強処理手段からの出力レベルが入力レベルより却って小さくなることを防ぐことができ、演奏意図に応じた出力が可能となるので、低音域の音を発音可能な楽器の演奏による低音を演奏者の意図に応じて好適に増強して出力できるという効果がある。
【００１３】
請求項５記載の低音増強処理装置によれば、請求項１から３のいずれかが奏する効果に加えて、次の効果を奏する。低音増強処理手段に入力される楽音信号の入力レベルの経時変化が監視手段により監視されており、その監視による入力レベルの経時変化に基づき、低音増強処理手段に入力される楽音信号の入力レベルの上昇に伴って当該低音増強処理手段による入出力レベル比が連続的又は段階的に大きくなるように、制御手段により、圧縮手段による圧縮及び／又は増強手段による増強が制御される。よって、低音域の音を発音可能な楽器の演奏による低音を入力信号のレベルの大小によることなく好適に増強して出力できるという効果がある。
【００１４】
請求項６記載の低音増強処理装置によれば、請求項１から５のいずれかが奏する効果に加えて、入力手段に楽音信号を入力する弦楽器（低音域の音を発音可能な弦楽器）がベースであるので、ベース演奏による演奏音を好適に増強して出力できるという効果がある。
【００１５】
請求項７記載のスピーカ装置によれば、請求項１から６のいずれかの低音増強処理装置を備えているので、請求項１から６が奏する上述した効果を奏することができる。つまり、請求項１から６のいずれかの低音増強処理装置により好適に増強された低音を、パワーアンプを介してスピーカから放音することができる。
【００１６】
請求項８記載のスピーカ装置によれば、請求項７記載が奏する効果に加えて、次の効果を奏する。このスピーカ装置は、筐体の内部空間と外部とを連通するバスレフ用の開口部を有するバスレフ構造のスピーカとして構成されており、低音増強処理手段により処理される周波数帯域が、バスレフ用の開口部による共振周波数を含む帯域であるので、この周波数帯域の信号レベルを抑制でき、風切り音の発生を抑制できるという効果がある。
【００１７】
請求項９記載の楽器用スピーカ装置によれば、請求項７又は８が奏する効果に加え、低音増強処理装置より前段に設けられ、１よりも大きな通過ゲインを有し得、楽音信号に効果を付与する１又は複数の効果装置を備えており、１よりも大きな通過ゲインとすることによる効果が楽音信号に付与された場合においても、低音増強処理装置により好適に増強された低音をスピーカから放音できるという効果がある。
【００１８】
請求項１０記載の音響効果装置によれば、請求項１から６のいずれかの低音増強処理装置を備えているので、請求項１から６が奏する上述した効果を奏することができる。また、低音増強処理装置より前段に設けられ、１よりも大きな通過ゲインを有し得、楽音信号に効果を付与する１又は複数の効果装置を備えているので、１よりも大きな通過ゲインとすることによる効果が楽音信号に付与された場合においても、低音増強処理装置により好適に増強された低音を出力できるという効果がある。
【図面の簡単な説明】
【００１９】
【図１】（ａ）は、本発明の一実施形態である低音増強処理装置であるスピーカ装置の模式的な正面図であり、（ｂ）は、図１（ａ）のＩｂ−Ｉｂ線におけるスピーカ装置の模式的な側断面図である。
【図２】操作パネルの正面図である。
【図３】（ａ）は、スピーカ装置に搭載される制御装置の電気的構成を示すブロック図であり、（ｂ）は、ＤＳＰで実行される処理の流れを、機能ブロックを用いて模式的に示した図である。
【図４】（ａ）は、Ｌｏｗ＿Ｂｏｏｓｔブロックで実行される処理の流れを模式的に示す機能ブロック図であり、（ｂ）は、チャンネルデバイダ１４１の周波数特性の一例を示すグラフである。
【図５】低音増強部で実行される処理の流れを模式的に示す機能ブロック図である。
【図６】（ａ）は、コンプレッサの入出力特性を示すグラフであり、（ｂ）は、通常設定時における低音増強部１５０の入出力特性を示すグラフであり、（ｃ）は、高ゲイン設定時における低音増強部１５０の入出力特性を示すグラフである。
【図７】ＣＰＵが実行するパラメータ設定処理を示すフローチャートである。
【図８】第２実施形態の低音増強部で実行される処理の流れを模式的に示す機能ブロック図である。
【図９】（ａ）〜（ｃ）は、変形例における低音増強部の入出力特性を示すグラフである。
【図１０】第２実施形態の変形例において低音増強処理部で実行される処理の流れを模式的に示す機能ブロック図である。
【発明を実施するための形態】
【００２０】
以下、本発明の好ましい実施例について、添付図面を参照して説明する。図１（ａ）は、本発明の一実施形態である低音増強処理装置である制御装置１０５を搭載するスピーカ装置１の模式的な正面図であり、図１（ｂ）は、図１（ａ）のＩｂ−Ｉｂ線におけるスピーカ装置１の模式的な側断面図である。なお、図１（ｂ）では、図３を参照して後述する制御装置１０５及びパワーアンプ１０６や、配線ケーブルなどの一部構成の図示を省略している。
【００２１】
本実施形態のスピーカ装置１は、ベース用のスピーカ装置として構成される。詳細は後述するが、スピーカ装置１は、制御装置１０５がＬｏｗ＿Ｂｏｏｓｔブロック１４ｃ（図３参照）の機能を搭載することにより、低音域（例えば、１００Ｈｚ以下の音域）の音を好適に増強して放音することができるように構成されている。
【００２２】
スピーカ装置１は、キャビネット１００と、スピーカ１０１と、３つのバスレフポート１０２と、シャーシ１０３と、操作パネル１０４とを有する。つまり、本実施形態のスピーカ装置１は、バスレフポート１０２を有する所謂バスレフ構造のスピーカ装置（バスレフ型スピーカ）である。
【００２３】
キャビネット１００は、スピーカ１０１からの放音面（前面）となる前板１００ａと、上面となる上板１００ｂと、底面となる底板１００ｃと、両側面となる２枚の側板１００ｄと、背面となる後板１００ｅと、上板１００ｂにおける後板１００ｅ側に段差を形成するための仕切板１００ｆとから構成され、これらの板１００ａ〜１００ｆに囲まれることによって内部空間Ｓが形成される。なお、前板１００ａの前面側に網状のカバーを備えていてもよい。
【００２４】
バスレフポート１０２は、前板１００ａにおけるスピーカ１０１の下方に設けられた開口部であり、本実施形態では、前板１００ａに設けた開口に取り付けられ、前板１００ａ側の先端が拡がる筒状部材として構成される。なお、先端の広がらない管状部材をバスレフポートとしてもよい。また、筒状部材を用いることなく、前板１００ａに設けた開口をバスレフポートとしてもよい。
【００２５】
シャーシ１０３は、パワーアンプ１０６ならびに制御装置１０５（図３参照）が搭載される基板を保持するための部材であり、キャビネット１００における仕切板１００ｆにより形成される段差部分に、底板１００ｃに略平行な面と前板１００ａに略平行な面とが形成されるように設けられている。
【００２６】
操作パネル１０４は、スピーカ装置１に電源を投入するための電源ボタンや、ユーザが音を調整するために操作する操作子群などが搭載されたパネルであり、シャーシ１０３上に設けられる。
【００２７】
図２は、上述した操作パネル１０４の正面図である。図２に示すように、操作パネル１０４には、スピーカ装置１の電源投入と電源断とを切り換えるための電源ボタン（ＰＯＷＥＲ）１０４ａと、ベースの出力端子が挿入される入力端子（ＩＮＰＵＴ）１０４ｂと、ドライブ操作子（ＤＲＩＶＥ）１０４ｃと、ゲイン操作子（ＧＡＩＮ）１０４ｄと、イコライザ操作子（ＥＱ）１０４ｅと、コーラス操作子（ＣＨＯＲＵＳ）１０４ｆと、リバーブ操作子（ＲＥＶＥＲＢ）１０４ｇと、ボリューム操作子（ＶＯＬＵＭＥ）１０４ｈとが設けられている。
【００２８】
ドライブ操作子１０４ｃは、アナログアンプにおいてプリアンプに高レベルの信号が入力された場合に歪みが発生する現象を模擬する効果（以下、この効果を「オーバードライブ効果」と称する）の掛かり具合を調整（設定）するためのつまみ操作子である。ドライブ操作子１０４ｃがこれ以上反時計回りに回すことのできない位置にある場合には、後述するＯｖｅｒ＿Ｄｒｉｖｅブロック１４ａ（図３（ｂ）参照）のゲイン値が１に設定され、オーバードライブ効果の量（かかり具合）がゼロとされる（即ち、オーバードライブ効果がかからない）。ドライブ操作子１０４ｃを時計回りに回す程、Ｏｖｅｒ＿Ｄｒｉｖｅブロック１４ａのゲイン値が大きく（例えば、１以上に）設定され、オーバードライブ効果を強く掛けることができる。
【００２９】
ゲイン操作子１０４ｄは、アナログアンプにおいてプリアンプのゲインを調整した場合の現象を模擬するためのつまみ操作子であり、時計回りに回される程、後述するＧａｉｎブロック１４ｂ（図３（ｂ）参照）のゲイン値を大きくすることができる。なお、本実施形態のスピーカ装置１は、ゲイン操作子１０４ｄが所定位置（例えば、回転範囲の中央）に位置する場合を基準（ゲイン値＝１）として、その所定位置より反時計回りに回すことによりＧａｉｎブロック１４ｂのゲイン値を小さくするともに、前記所定位置より時計回りに回すことによりＧａｉｎブロック１４ｂのゲイン値を大きくするように構成されている。
【００３０】
なお、詳細は後述するが、本実施形態のスピーカ装置１は、ドライブ操作子１０４ｃの操作位置に対応するゲイン値と、ゲイン操作子１０４ｄの操作位置に対応するゲイン値とに応じて、Ｌｏｗ＿Ｂｏｏｓｔブロック１４ｃ（図３参照）の中で行われる信号の圧縮処理の内容を変更し、それによって、各操作子１０４ｃ，１０４ｄにより設定されたゲイン値の積が１以下に設定された場合と、これらのゲイン値の積が１より大きく設定された場合とで、各場合に適した低音域の増強を行うことができるように構成されている。
【００３１】
イコライザ操作子１０４ｅは、各音域の信号レベルを設定するためのつまみ操作子である。本実施形態のイコライザ操作子１０４ｅは、低音域用つまみ（ＢＡＳＳ）１０４ｅ１と、中音域用つまみ（ＭＩＤＤＬＥ）１０４ｅ２と、高音域用つまみ（ＴＲＥＢＬＥ）１０４ｅ３とから構成され、それぞれのつまみを回転させることにより、各音域の出力レベルを調整することができる。
【００３２】
コーラス操作子１０４ｆは、コーラス効果の掛かり具合を調整するためのつまみ操作子である。コーラス操作子１０４ｆがこれ以上反時計回りに回すことのできない位置にある場合には、コーラス効果の量（かかり具合）をゼロにすることができ、コーラス操作子１０４ｆが時計回りに回される程、コーラス効果を強く掛けることができる。
【００３３】
リバーブ操作子１０４ｇは、リバーブ効果の掛かり具合を調整するためのつまみ操作子である。リバーブ操作子１０４ｇがこれ以上反時計回りに回すことのできない位置にある場合には、リバーブ効果の量（かかり具合）をゼロにすることができ、リバーブ操作子１０４ｇが時計回りに回される程、リバーブ効果を強く掛けることができる。
【００３４】
ボリューム操作子１０４ｈは、スピーカ１０１から放音される音のレベルを調整するためのつまみ操作子である。ボリューム操作子１０４ｈがこれ以上反時計回りに回すことのできない位置にある場合には、スピーカ１０１からの放音レベルをゼロにすることができ、ボリューム操作子１０４ｈが時計回りに回される程、放音レベルを大きくすることができる。
【００３５】
次に、上述したスピーカ装置１を動作させるための制御装置１０５の詳細構成について説明する。図３（ａ）は、スピーカ装置１に搭載される制御装置１０５の電気的構成を示すブロック図である。
【００３６】
制御装置１０５は、ＣＰＵ１１と、ＲＯＭ１２と、ＲＡＭ１３と、ＤＳＰ１４と、アナログデジタルコンバータ（ＡＤＣ）１５と、デジタルアナログコンバータ（ＤＡＣ）１６とを有しており、ＡＤＣ１５とＤＡＣ１６とを除く各部１１〜１４は、バスライン１７を介して接続されている。ＡＤＣ１６及びＤＡＣ１７は、それぞれ、ＤＳＰ１４に接続されている。また、バスライン１７には、上述した操作子１０４ｃ〜１０４ｈが接続されており、各操作子１０４ｃ〜１０４ｈによる設定が制御装置１０５に入力される。
【００３７】
入力端子１０４ｂから入力されるベースの演奏音（楽音信号）は、入力信号としてＡＤＣ１５に入力される。ＤＡＣ１７は、パワーアンプ１０６に接続されており、制御装置１０５による処理後の信号をパワーアンプ１０６へ出力し、パワーアンプ１０６により増幅された後、スピーカ１０１から放音される。
【００３８】
ＣＰＵ１１は、ＲＯＭ１２やＲＡＭ１３に記憶される固定値データや制御プログラムに従う制御を実行する中央制御装置である。ＲＯＭ１２は、書き替え不能なメモリであって、ＣＰＵ１１やＤＳＰ１４に各処理を実行させるための制御プログラムや、この制御プログラム１２ａが実行される際にＣＰＵ１１により参照される固定値データなどが記憶される。
【００３９】
ＲＡＭ１３は、書き替え可能なメモリであり、ＣＰＵ１１が制御プログラムを実行するにあたり、各種のデータを一時的に記憶するためのワークエリア（図示せず）を有している。
【００４０】
ＤＳＰ１４は、デジタル信号を処理するための演算装置である。ＤＳＰ１４は、例えば、入力端子１０４ｂから入力されてＡＤＣ１５によりデジタル化されたベースの演奏音（入力信号）における低音域を増強する制御を実行する。
【００４１】
図３（ｂ）は、ＤＳＰ１４で実行される処理の流れを模式的に示す機能ブロック図である。入力信号（楽音信号）は、まず、Ｏｖｅｒ＿Ｄｒｉｖｅブロック１４ａに供給される。
【００４２】
Ｏｖｅｒ＿Ｄｒｉｖｅブロック１４ａは、通過する信号に対する入出力レベル比（利得、ゲイン）を上げるとともに歪みを発生させることにより、通過する信号にオーバードライブ効果を付与するブロックである。Ｏｖｅｒ＿Ｄｒｉｖｅブロック１４ａは、ドライブ操作子１０４ｃの操作量に応じたオーバードライブ効果を付与する。具体的に、Ｏｖｅｒ＿Ｄｒｉｖｅブロック１４ａは、ドライブ操作子１０４ｃの回転操作量が多い程、より大きなオーバードライブ効果を付与する。Ｏｖｅｒ＿Ｄｒｉｖｅブロック１４ａを通過した（Ｏｖｅｒ＿Ｄｒｉｖｅブロック１４ａから出力された）信号は、後段のＧａｉｎブロック１４ｂに供給される。
【００４３】
Ｇａｉｎブロック１４ｂは、アナログアンプにおいてプリアンプ部の入力感度（ゲイン）を調整した場合の現象を模擬するブロックであり、通過する信号をゲイン操作子１０４ｄによる設定値（ゲイン値）に応じた入出力レベル比で出力する。また、Ｇａｉｎブロック１４ｂは、ゲイン操作子１０４ｄによるゲイン値が１より大きい値である場合に、通過する信号に対する入出力レベル比を上げるとともに歪みを発生させる。Ｇａｉｎブロック１４ｂを通過した信号は、Ｌｏｗ＿Ｂｏｏｓｔブロック１４ｃに供給される。
【００４４】
Ｌｏｗ＿Ｂｏｏｓｔブロック１４ｃは、詳細については後述するが、通過する信号における低音域の信号を増強するブロックである。Ｌｏｗ＿Ｂｏｏｓｔブロック１４ｃを通過した信号は、後段のＥＱブロック１４ｄに供給される。
【００４５】
ＥＱブロック１４ｄは、通過する信号における各音域（低音域、中音域、高音域）の信号レベルを、対応するイコライザ操作子１０４ｅ（１０４ｅ１〜１０４ｅ３）の位置に応じて上げたり下げたりするブロックである。ＥＱブロック１４ｄを通過した信号は、後段のＣｈｏｒｕｓブロック１４ｅに供給される。
【００４６】
Ｃｈｏｒｕｓブロック１４ｅは、通過する信号にコーラス効果を付与するブロックであり、コーラス操作子１０４ｆの操作量に応じたコーラス効果を付与する。Ｃｈｏｒｕｓブロック１４ｅを通過した信号は、後段のＲｅｖｅｒｂブロック１４ｆに供給される。
【００４７】
Ｒｅｖｅｒｂブロック１４ｆは、通過する信号にリバーブ効果を付与するブロックであり、リバーブ操作子１０４ｇの操作量に応じたリバーブ効果を付与する。Ｒｅｖｅｒｂブロック１４ｆを通過した信号は、後段のＶｏｌｕｍｅブロック１４ｇに入力される。
【００４８】
Ｖｏｌｕｍｅブロック１４ｇは、通過する信号のレベルをボリューム操作子１０４ｈの位置に応じて制御することで、スピーカ１０１からの放音レベル（音量）を調整して出力する。Ｖｏｌｕｍｅブロック１４ｇを通過した信号は、パワーアンプ１０６へ供給され、スピーカ１０１から放音される。
【００４９】
図４（ａ）は、上述したＬｏｗ＿Ｂｏｏｓｔブロック１４ｃで実行される処理の流れを模式的に示す機能ブロック図である。Ｌｏｗ＿Ｂｏｏｓｔブロック１４ｃに入力された入力信号は、チャンネルデバイダ１４１に供給される。チャンネルデバイダ１４１は、ハイパスフィルタ（ＨＰＦ）１４１ａと、ローパスフィルタ（ＬＰＦ）１４１ｂとから構成され、入力信号を、ハイパスフィルタ１４１ａを通過する信号（Ｈｉｇｈ）と、ローパスフィルタ１４１ｂを通過する信号（Ｌｏｗ）との２チャンネルに分割する。
【００５０】
図４（ｂ）は、チャンネルデバイダ１４１の周波数特性の一例を示すグラフである。このグラフの横軸は周波数を示し、縦軸はチャンネルデバイダ１４１を通過するゲインを示す。このグラフにおいて、点線で示す線２０１は、ハイパスフィルタ１４１ａを通過する信号の周波数特性であり、実線で示す線２０２は、ローパスフィルタ  １４１ｂを通過する信号の周波数特性である。各フィルタ１４１ａ，１４１ｂのカットオフ周波数ｆｃは独立して設定可能であり、設計時に所定の値に設定される。図４（ｂ）に示すように、各フィルタ１４１ａ，１４１ｂのカットオフ周波数ｆｃを同じ値に設定することより、入力信号を、カットオフ周波数ｆｃ以上の信号と、カットオフ周波数ｆｃ以下の信号とに分割することができる。本実施形態では、チャンネルデバイダ１４１における各フィルタ１４１ａ，１４１ｂのカットオフ周波数ｆｃは、ローパスフィルタ１４１ｂを通過する信号が低音域の信号となる周波数に設定されている。本実施形態では、カットオフ周波数ｆｃを１００Ｈｚとしている。
【００５１】
図４（ａ）に戻って説明する。チャンネルデバイダ１４１において、ハイパスフィルタ１４１ａを通過した信号は、乗算器１４２に供給される。乗算器１４２は、入力された信号（ハイパスフィルタ１４１ａを通過した信号）に、ＣＰＵ１１により設定されたゲイン値を乗算することにより、信号のレベル調整を行う。なお、乗算器１４２に設定されるゲイン値は、設計時に決められたゲイン値であり、高域を増強するなどの特段の意図がない場合には１とされている。乗算器１４２によりレベル調整された信号は、後段の加算器１４５に供給される。
【００５２】
一方で、チャンネルデバイダ１４１において、ローパスフィルタ１４１ｂを通過した低音域の信号は、コンプレッサ１４３に供給される。コンプレッサ１４３は、所定レベル（所定のエンベロープレベル）以上の信号を圧縮して出力するものであり、その詳細構成については、図５を参照しつつ後述する。コンプレッサ１４３を通過した信号は、乗算器１４４に供給される。乗算器１４４は、ＣＰＵ１１により設定されたゲイン値により、コンプレッサ１４３から入力された信号のレベル調整を行う。なお、乗算器１４４に設定されるゲイン値は、設計時に決められたゲイン値であり、低域を増強するように１よりも大きい値が設定されている。乗算器１４４によりレベル調整された信号は、後段の加算器１４５に供給される。
【００５３】
低音増強部１５０は、上述したコンプレッサ１４３と乗算器１４４とから構成される。詳細は後述するが、本実施形態の低音増強部１５０は、その入出力レベル比（利得、ゲイン）が、ドライブ操作子１０４ｃの操作により設定されたＯｖｅｒ＿Ｄｒｉｖｅブロック１４ａのゲイン値と、ゲイン操作子１０４の操作により設定されたＧａｉｎブロック１４ａのゲイン値との積に応じて変更されるように構成されている。
【００５４】
図５は、上述した低音増強部１５０で実行される処理の流れを模式的に示す機能ブロック図である。低音増強部１５０に入力された信号は、コンプレッサ１４３を通過した後、乗算器１４４を通過して出力される。
【００５５】
コンプレッサ１４３に入力された信号は、エンベロープレベル検出部１４３ａと乗算器１４３ｃとに供給される。エンベロープレベル検出部１４３ａは、信号のエンベロープレベルの検出を行う。具体的に、エンベロープレベル検出部１４３ａは、まず、入力信号の瞬時値の絶対値を求め、次いで、求めた絶対値が、ＲＡＭ１３に記憶されている前回のエンベロープレベルより大きい場合には、求めた絶対値を今回のエンベロープレベルの値としてＲＡＭ１３に記憶する（書き換える）。一方で、求めた絶対値がＲＡＭ１３に記憶されている前回のエンベロープレベル以下である場合には、その前回のエンベロープレベルを所定の時定数で減衰させた値を今回のエンベロープレベルとしてＲＡＭ１３に記憶する。エンベロープレベル検出部１４３ａにより検出された（今回の）エンベロープレベルは、制御信号生成部１４３ｂに供給される。
【００５６】
制御信号生成部１４３ｂは、エンベロープレベル検出部１４３ａから入力されたエンベロープレベルと、ＣＰＵ１１により設定されたスレッショルドの値及びレシオの値とに基づき、レベル制御用の制御信号を生成する。
【００５７】
「スレッショルド」は、コンプレッサ１４３が入力信号の圧縮を行うか否かの閾値であり、入力信号のレベル（入力レベル）がスレッショルド以上である場合に、信号の圧縮が行われる。本実施形態では、スレッショルドの値は、ドライブ操作子１０４ｃの操作位置に対応するゲイン値と、ゲイン操作子１０４ｄの操作位置に対応するゲイン値との積に応じた値が、ＣＰＵ１１により設定される。具体的に、各操作子１０４ｃ，１０４ｄにより設定されたゲイン値の積が１以下である場合には、設計時に決められたスレッショルドの値（以下、「標準スレッショルド値」と称する）が設定され、両ゲイン値の積が１より大きい場合には、（標準スレッショルド値）×（各操作子１０４ｃ，１０４ｄにより設定されたゲイン値の積）が設定される。一方、「レシオ」は、コンプレッサ１４３が入力信号の圧縮を行う場合の圧縮率である。レシオの値としては、設計時に決められた値が設定される。
【００５８】
制御信号生成部１４３ｂにおいて生成されたレベル制御用の制御信号は、乗算器１４３ｃに供給される。乗算器１４３ｃは、制御信号生成部１４３ｂから供給されたレベル制御用の制御信号により、入力信号のレベルを制御して出力する。乗算器１４３ｃから出力された信号（即ち、コンプレッサ１４３から出力された信号）は、後段の乗算器１４４に供給される。上述した通り、コンプレッサ１４３から出力され乗算器１４４に入力された信号は、設計時に決められたゲイン値を乗算することによりレベル調整され出力される。
【００５９】
ここで、図６（ａ）を参照し、上述したコンプレッサ１４３の入出力特性について説明する。図６（ａ）は、本実施形態のコンプレッサ１４３の入出力特性を示すグラフである。このグラフの横軸はコンプレッサ１４３に入力される信号の入力レベルを対数で示し、縦軸はコンプレッサ１４３から出力される信号（即ち、図５におけるＰ１点の信号）の出力レベルを対数で示す。なお、以下の説明で用いる「レベル」は、瞬時値のレベルではなく、エンベロープ（包絡線）のレベルである。また、点線Ｌは、入出力レベル比が１であることを示す直線であり、点線Ｌより上の領域は入出力レベル比が１より大きく、下の領域は入出力レベル比が１より小さいことを示す。
【００６０】
コンプレッサ１４３の特性は、実線で示す折れ線Ａにより表される。即ち、入力レベルがスレッショルドの値（ＴＨ）以下である場合には、入出力レベル比が１である実線Ａ１によって表される特性を示し、入力レベルがＴＨを超えると、レベルが圧縮されて実線Ａ２によって表される特性を示す。なお、実線Ａ２の傾きがレシオの値に相当する。
【００６１】
次に、図６（ｂ）を参照し、上述したコンプレッサ１４３と、その後段の乗算器１４４とから構成される低音増強部１５０の入出力特性について説明する。図６（ｂ）は、通常設定時における低音増強部１５０の入出力特性を示すグラフである。なお、この「通常設定時」とは、スピーカ装置１が一般的なゲインの設定値で使用される場合、本実施形態では、ドライブ操作子１０４ｃ及びゲイン操作子１０４ｄによりそれぞれ設定されたゲイン値の積（即ち、両ゲイン値の積）が１以下である場合に相当する。
【００６２】
このグラフにおいて、横軸は低音増強部１５０に入力される信号（即ち、コンプレッサ１４３に入力される信号）の入力レベルを対数で示し、縦軸は低音増強部１５０から出力される信号（即ち、図５におけるＰ２点の信号）の出力レベルを対数で示す。
【００６３】
通常設定時における低音増強部１５０の入出力特性は、実線Ｂ１及び実線Ｂ２とから構成される折れ線Ｂにより表される。一方、二点鎖線で示す折れ線Ａは、コンプレッサ１４３からの出力レベル（即ち、Ｐ１点の信号レベル）を示し、図６（ａ）において実線で示した折れ線Ａと同じ折れ線である。つまり、低音増強部１５０の入出力特性は、コンプレッサ１４３からの出力レベルに乗算器１４４に入力されたゲイン値が加味された特性となる。つまり、低音増強部１５０の入出力特性は、入力レベルがスレッショルドの値（ＴＨ）以下である場合には、実線Ｂ１によって表される特性を示し、入力レベルがＴＨを超えると、実線Ｂ２によって表される特性を示す。
【００６４】
図６（ｂ）のグラフにおいて、横軸（入力レベル）の「１」は、低音増強部１５０（即ち、Ｌｏｗ＿Ｂｏｏｓｔブロック１４ｃ）に対してＯｖｅｒ＿Ｄｒｉｖｅブロック１４ａ、Ｇａｉｎブロック１４ｂにおけるゲイン値の積が１以下の場合に想定される入力信号の最大レベルを示している。図６（ｂ）のグラフにおいて、縦軸（出力レベル）の「ＣＬＩＰ」は、パワーアンプ１０６で歪みが生じる低音増強部１５０（Ｌｏｗ＿Ｂｏｏｓｔブロック１４ｃ）の臨界出力レベルを示している。低音増強部１５０からの出力レベルがこのレベルを超える場合にはパワーアンプ１０６で歪みが生じる。なお、一点鎖線Ｃは、コンプレッサ１４３を無くした場合の入出力特性を示す直線であり、イコライザで低音域の信号レベルを上げる従来技術に相当する。
【００６５】
図６（ｂ）によれば、実線Ｂ２は、入力レベルが「１」、即ち、想定される入力信号の最大レベルにおいて、入出力レベル比が１である点Ｑよりも上を通るが、パワーアンプ１０６で歪みが生じる臨界出力レベル（ＣＬＩＰ）よりは下を通る。つまり、通常設定時（即ち、スピーカ装置１が一般的なゲインの設定値で使用される場合）には、低音増強部１５０に入力される「想定される入力信号の最大レベル」以下の信号は、入力信号のレベルが上げられるが、低音増強部１５０の出力レベルはパワーアンプ１０６で歪みが生じる臨界出力レベルを超えることはない。そのため、パワーアンプ１０６からの出力が歪むなどの不都合が生じることなく、低音域の音を増強することができる。一方、一点鎖線Ｃで示すように、従来のようにイコライザで低音域の信号レベルを上げた場合には、レベルの大きな信号が入力されたときに出力レベルが、パワーアンプ１０６で歪みが生じる臨界出力レベル（ＣＬＩＰ）を超える場合があるため、低音域の音を増強できたとしても、パワーアンプ１０６で歪みが生じ得る。
【００６６】
また、ベースのような弦楽器は、信号レベルの高い期間が短く、減衰によって信号レベルが低くなる期間が比較的長いので、図６（ｂ）に示すように、信号レベル（入力レベル）が高い場合の増強度（即ち、実線Ｂ２が示す入出力レベル比）を小さくし、信号レベルが低い場合の増強度（即ち、実線Ｂ１が示す入出力レベル比）を大きくすることにより、比較的期間の長い信号レベルの低い部分が強調され、それにより、全体的に低域が増強されたような聴感を与えることができる。
【００６７】
上述した通り、通常設定時における低音増強部１５０の入出力特性は、想定される入力信号の最大レベルにおいて点線Ｌよりも上を通る（図６（ｂ）参照）ので、パワーアンプ１０６からの出力が歪むことなく低音域の音を増強することができる。しかし、その一方で、想定される入力信号の最大レベルを超える信号については、出力レベルが入力レベルより却って小さくなってしまう場合がある。本実施形態のスピーカ装置１は、低音増強部１５０を含むＬｏｗ＿Ｂｏｏｓｔブロック１４ｃの前段には、ゲイン値を１以上に設定できるＯｖｅｒ＿Ｄｒｉｖｅブロック１４ａ及びＧａｉｎブロック１４ｂが配置されている。よって、これらのブロック１４ａ，１４ｂに設定されるゲイン値によっては、低音増強部１５０から出力される低音域の信号の音圧に不足が生じることがある。
【００６８】
これに対し、本実施形態のスピーカ装置１は、Ｏｖｅｒ＿Ｄｒｉｖｅブロック１４ａ又はＧａｉｎブロック１４ｂに大きなゲイン値が設定された場合には、コンプレッサ１４３に設定するスレッショルドの値を変更することにより、低音域の音圧を好適に増強できるように構成されている。
【００６９】
図６（ｃ）は、高ゲイン設定時における低音増強部１５０の入出力特性を示すグラフである。なお、この「高ゲイン設定時」とは、上述した「通常設定時」に対し、Ｏｖｅｒ＿Ｄｒｉｖｅブロック１４ａ又はＧａｉｎブロック１４ｂに大きなゲイン値が設定された場合、即ち、ブロック１４ａ，１４ｂの入出力レベル比（ゲイン，利得）が大きく設定されている場合に相当する。本実施形態では、ドライブ操作子１０４ｃ及びゲイン操作子１０４ｄによりそれぞれ設定されたゲイン値の積が１より大きい場合が「高ゲイン設定時」に相当する。スピーカ装置１が高ゲイン設定にされる一例は、ユーザ（演奏者）が意図的に音を歪ませるために、ドライブ操作子１０４ｃやゲイン操作子１０４ｄが操作された場合である。なお、図６（ｃ）のグラフにおいて、横軸は低音増強部１５０に入力される信号の入力レベルを対数で示し、縦軸は低音増強部１５０から出力される信号の出力レベルを対数で示す。
【００７０】
上述した通り、各操作子１０４ｃ，１０４ｄにより設定されたゲイン値の積が１より大きい場合には、制御信号生成部１４３ｂに入力されるスレッショルドの値は、（標準スレッショルド値）×（ドライブ操作子１０４ｃ及びゲイン操作子１０４ｄによりそれぞれ設定されたゲイン値の積）により算出される。即ち、高ゲイン設定時おけるスレッショルドの値は、ＴＨ（即ち、標準スレッショルド値）より大きな値であるＴＨ’となる。スレッショルドの値がＴＨからＴＨ’に変更されたことにより、ＴＨを閾値とする２本の線（実線Ｂ１，二点鎖線Ｂ２）から構成される折れ線Ｂから、ＴＨ’を閾値とする２本の線（実線Ｂ１，実線Ｂ３）から構成される折れ線Ｂに変更される。
【００７１】
従って、高ゲイン設定時における低音増強部１５０の入出力特性は、入力レベルがＴＨ’以下である場合には実線Ｂ１によって表される特性を示し、入力レベルがＴＨ’を超えると実線Ｂ３によって表される特性を示す。これにより、想定される入力信号の最大レベルより大きなレベルについても、少なくとも実線Ｂ３と点線Ｌとが交わる入力レベルまでは、入力信号のレベルを増強して（大きくして）出力することができる。よって、本実施形態のスピーカ装置１によれば、Ｏｖｅｒ＿Ｄｒｉｖｅブロック１４ａ又はＧａｉｎブロック１４ｂに大きなゲイン値が設定される場合（高ゲイン設定時）であっても、低音域の信号を十分な音圧で低音増強部１５０から（即ち、Ｌｏｗ＿Ｂｏｏｓｔブロック１４ｃから）出力することができる。また、実線Ｂ３と点線Ｌとの交点は、臨界出力レベル（ＣＬＩＰ）より下であるので、低音増強部１５０により増強された低音域の音が、パワーアンプ１０６において歪むこともない。従って、例えば、ユーザが意図的に音を歪ませる目的で、スピーカ装置１を「高ゲイン設定」に設定した場合であっても、低音域の音を好適に増強してスピーカ１０１から放音することができる。
【００７２】
次に、図７を参照して、スピーカ装置１に搭載される制御装置１０５のＣＰＵ１１が、ドライブ操作子１０４ｃ及びゲイン操作子１０４ｄの操作位置（即ち、これらの操作子１０４ｃ，１０４ｄにより設定された各ゲイン値）に応じてスレッショルド値を制御する処理について説明する。図７は、ＣＰＵ１１が実行するパラメータ設定処理を示すフローチャートである。ＣＰＵ１１は、操作パネル１０４に設けられた各操作子１０４ｃ〜１０４ｈの状態を監視し、これらの操作子１０４ｃ〜１０４ｈのいずれかが操作された場合にパラメータ設定処理を実行する。
【００７３】
ＣＰＵ１１は、まず、操作された操作子がドライブ操作子１０４ｃであるか否かを判定する（Ｓ１）。Ｓ１による判定が、ドライブ操作子１０４ｃが操作されたことを示すものである場合には（Ｓ１：Ｙｅｓ）、ＣＰＵ１１は、ドライブ操作子１０４ｃの操作位置に対応するＯｖｅｒ＿Ｄｒｉｖｅブロック１４ａのゲイン値を求め、求めたゲイン値をＲＡＭ１３に記憶すると共に、ＤＳＰ１４に設定し（Ｓ２）、処理をＳ３に移行する。なお、ＲＡＭ１３に記憶したゲイン値は、次回Ｓ２よって更新されるまで保持される。
【００７４】
一方で、Ｓ１による判定が、ドライブ操作子１０４ｃが操作されていないことを示すものである場合には（Ｓ１：Ｎｏ）、操作された操作子がゲイン操作子１０４ｄであるか否かを判定する（Ｓ６）。Ｓ６による判定が、ゲイン操作子１０４ｄが操作されたことを示すものである場合には（Ｓ６：Ｙｅｓ）、ＣＰＵ１１は、ゲイン操作子１０４ｄの操作位置に対応するＧａｉｎブロック１４ｂのゲイン値を求め、求めたゲイン値をＲＡＭ１３に記憶すると共に、ＤＳＰ１４に設定し（Ｓ７）、処理をＳ３に移行する。なお、ＲＡＭ１３に記憶したゲイン値は、次回Ｓ７よって更新されるまで保持される。
【００７５】
Ｓ３では、ＣＰＵ１１は、Ｓ２においてＲＡＭ１３に記憶されたゲイン値（ドライブ操作子１０４ｃの操作に対応するゲイン値）と、Ｓ６においてＲＡＭ１３に記憶されたゲイン値（ゲイン操作子１０４ｄの操作に対応するゲイン値）との積が、１以下であるかを判定する（Ｓ３）。Ｓ３による判定が、両ゲイン値の積が１以下であることを示すものであれば（Ｓ３：Ｙｅｓ）、スピーカ装置１が一般的なゲインの設定値で使用される場合（即ち、通常設定時）であり、かかる場合には、ＣＰＵ１１は、スレッショルド値として、標準スレッショルド値（設計時に決められたＯｖｅｒ＿Ｄｒｉｖｅブロック１４ａ、Ｇａｉｎブロック１４ｂでの設定ゲイン値に応じて低音域の増強度合いが好適となるように設計時に決められたスレッショルドの値）を設定し（Ｓ４）、処理をＳ５へ移行する。
【００７６】
一方で、Ｓ３による判定が、両ゲイン値の積が１より大きいことを示すものであれば（Ｓ３：Ｎｏ）、高ゲイン設定時であるので、かかる場合には、ＣＰＵ１１は、両ゲイン値の積を標準スレッショルド値に乗算した値を、スレッショルド値として設定し（Ｓ８）、処理をＳ５へ移行する。
【００７７】
Ｓ５では、ＣＰＵ１１は、Ｓ４又はＳ８において設定したスレッショルド値をＤＳＰ１４に設定し（Ｓ５）、パラメータ設定処理を終了する。また、Ｓ６による判定が、ゲイン操作子１０４ｄが操作されていないことを示すものである場合には（Ｓ６：Ｎｏ）、ドライブ操作子１０４ｃ又はゲイン操作子１０４ｄ以外の操作子１０４ｅ〜１０４ｈが操作されているので、ＣＰＵ１１は、操作された操作子に応じた処理（各処理）を実行し（Ｓ９）、パラメータ設定処理を終了する。
【００７８】
以上説明した通り、本実施形態のスピーカ装置１によれば、一般的なゲインの設定値で使用される場合（通常設定時）であっても、意図的に音を歪ませる場合などの目的でゲイン値が大きく設定される場合（高ゲイン設定時）であっても、低音域の音圧を、ユーザの目的に応じて好適に増強することができ、低音域の音圧が不足することを防止できる。また、コンプレッサ１４３のスレッショルド値を変更することにより、高ゲイン設定時において低音域の音圧が不足することを防ぐ構成であるので、音質の劣化もない。
【００７９】
また、本実施形態のスピーカ装置１は、Ｏｖｅｒ＿Ｄｒｉｖｅブロック１４ａ及びＧａｉｎブロック１４ｂといった大きな入出力レベル比（利得、ゲイン）を有するブロックを、Ｌｏｗ＿Ｂｏｏｓｔブロック１４ｃより前段に配置しているので、Ｌｏｗ＿Ｂｏｏｓｔブロック１４ｃから発生し得るノイズが、これらのブロック１４ａ，１４ｂにより増幅されてしまうこと抑制できる。
【００８０】
また、ベースの種類によってベースから出力される信号のレベル（出力レベル）が異なるのに対し、本実施形態のＬｏｗ＿Ｂｏｏｓｔブロック１４ｃは、上述した通り、このブロック１４ｃに入力される信号レベルの大小に応じて低音域の増強の程度（強調具合）が変化する。しかしながら、一般的に、ユーザは、ベースからの信号の出力レベルに合わせてゲイン操作子１０４ｄを調整するので、Ｇａｉｎブロック１４ｂより後段にＬｏｗ＿Ｂｏｏｓｔブロック１４ｃを配置することにより、Ｌｏｗ＿Ｂｏｏｓｔブロック１４ｃに入力される信号のレベルが、ベースからの信号の出力レベルに依存することなく一定となることが期待できる。
【００８１】
なお、本実施形態のスピーカ装置１のように、バスレフ構造のスピーカ装置である場合には、低音増強部１５０を通過させてレベルを増強させる周波数帯域を、バスレフポート１０２の共振周波数を含む周波数帯域とすることが好ましい。低音増強部１５０において処理を施す周波数帯域を、バスレフポート１０２の共振周波数を含む周波数帯域とすることにより、レベルの大きな信号が入力された場合に、この周波数帯域の信号レベルが抑制されるので、風切り音の発生を抑制することができる。
【００８２】
次に、図８を参照して、第２実施形態について説明する。上述した第１実施形態では、コンプレッサ１４３（制御信号設定部１４３ｂ）に設定するスレッショルドの値を、ドライブ操作子１０４ｃ及びゲイン操作子１０４ｄの操作位置に基づいて変更する（上げる）構成により、想定される入力信号の最大レベルの信号を超える場合であっても低音域を十分な音圧で出力できるものであった。これに対し、第２実施形態では、低音増強処理部１５０に入力される信号のレベルを監視し、入力レベルに応じて動的にスレッショルド値を制御する。なお、第２実施形態において、上述した第１実施形態と同一の部分には同一の符号を付し、その説明を省略する。
【００８３】
図８は、第２実施形態の低音増強部１５１で実行される処理の流れを模式的に示す機能ブロック図である。第２実施形態の低音増強部１５１は、第１実施形態の低音増強部１５０（図５参照）と同様に、前段のコンプレッサ１４３と、その後段の乗算器１４４とから構成されるが、コンプレッサ１４３が、第１実施形態の低音増強部１５０が有していた各機能１４３ａ〜１４３ｃに加え、時間平均部１４３ｄと、スレッショルド補正部１４３ｅとを有する。
【００８４】
図８に示すように、コンプレッサ１４３に入力された信号は、エンベロープレベル検出部１４３ａと乗算器１４３ｃとに供給される。エンベロープレベル検出部１４３ａは、第１実施形態と同様に、信号のエンベロープレベルの検出を行う。エンベロープレベル検出部１４３ａにより検出された（今回の）エンベロープレベルは、制御信号生成部１４３ｂと、時間平均部１４３ｄとに供給される。
【００８５】
時間平均部１４３ｄは、直近の所定期間（例えば、５秒間）のエンベロープレベルの平均を算出することにより、時間平均されたエンベロープレベルを算出する。時間平均部１４３ｄにおいて算出された、時間平均されたエンベロープレベルは、スレッショルド補正部１４３ｅに供給される。
【００８６】
スレッショルド補正部１４３ｅは、時間平均部１４３ｄから入力されたエンベロープレベル（時間平均されたエンベロープレベル）に基づき、標準スレッショルド値（設計時に決められたスレッショルドの値）を補正し、補正スレッショルド値を算出する。具体的には、時間平均部１４３ｄから入力されたエンベロープレベルを所定レベルで除算した商を、標準スレッショルド値に乗算することにより、補正スレッショルド値を算出する。スレッショルド補正部１４３ｅにおいて算出された補正スレッショルド値は、制御信号生成部１４３ｂに供給される。
【００８７】
制御信号生成部１４３ｂは、エンベロープレベル検出部１４３ａから入力されたエンベロープレベルと、スレッショルド補正部１４３ｅから入力された補正スレッショルド値と、ＣＰＵ１１により設定されたレシオの値とに基づき、レベル制御用の制御信号を生成する。このレベル制御用の制御信号は乗算器１４３ｃに供給され、乗算器１４３ｃは、制御信号生成部１４３ｂから供給されたレベル制御用の制御信号により、入力信号のレベルを制御して出力し、出力された信号（レベル制御された入力信号）は、後段の乗算器１４４に供給される。
【００８８】
以上説明した通り、第２実施形態の低音増強部１５１を有するＬｏｗ＿Ｂｏｏｓｔブロック１４ｃによれば、低音増強部１５１に入力された低音域の信号のレベルがある期間にわたって所定レベルより大きい場合には、補正スレッショルド値は標準スレッショルド値よりも大きく、そのレベル差が大きい程、補正スレッショルド値がより大きい値となる。よって、低音増強部１５１に入力された信号のレベルが大きい場合（例えば、想定される入力信号の最大レベルより大きい場合）に、低音増強部１５１からの出力レベルが入力レベルより小さくなることを防止することができ、それにより、低音域の音圧が不足することを防止できる。つまり、低音増強部１５１に入力された信号のレベルが大きい場合であっても、低音域を十分な音圧で出力できる。
【００８９】
加えて、低音増強部１５１に入力された低音域の信号のレベルがある期間にわたって所定レベルより小さい場合には、補正スレッショルド値は標準スレッショルド値よりも小さく、そのレベル差が大きい程、補正スレッショルド値がより小さい値となる。ベースから出力された信号（入力端子１０４ｂに入力される信号）のレベルが小さいこと等が原因で、低音増強部１５１に入力される信号の入力レベルが、常に、スレッショルド値より小さい状態になると、低音域の音が過度に増強されてしまうことがある。しかしながら、第２実施形態によれば、時間平均されたエンベロープレベルが所定レベルより小さい場合に、スレッショルド値を下げることができるので、上述した低音域の過度な増強を防止することができる。
【００９０】
以上、実施形態に基づき本発明を説明したが、本発明は上記形態に何ら限定されるものではなく、本発明の趣旨を逸脱しない範囲内で種々の変形改良が可能であることは容易に推察できるものである。
【００９１】
例えば、上記第１実施形態は、ドライブ操作子１０４ｃ及びゲイン操作子１０４ｄによりそれぞれ設定されたゲイン値の積が１以下である場合、ＣＰＵ１１は、標準スレッショルド値をＤＰＳ１４（コンプレッサ１４３の制御信号生成部１４３ｂ）に設定する構成であった。即ち、上記第１実施形態では、各操作子１０４ｃ，１０４ｄにより設定されたゲイン値の積が１以下である場合には、コンプレッサ１４３のスレッショルド値は一定であった。これに換えて、ドライブ操作子１０４ｃ及びゲイン操作子１０４ｄにより設定されたゲイン値の積が１未満である場合に、ＣＰＵ１１がコンプレッサ１４３のスレッショルド値を制御し、上記第２実施形態と同様に、スレッショルド値を標準スレッショルド値より小さくする構成であってもよい。
【００９２】
かかる構成の場合、例えば、図７に示したパラメータ設定処理において、Ｓ３及びＳ４の処理を省略し、ＣＰＵ１１は、Ｓ２又はＳ７の処理を行った後、Ｓ８の処理を実行するように構成すればよい。これにより、ドライブ操作子１０４ｃにより設定されたゲイン値とゲイン操作子１０４ｄにより設定されたゲイン値との積が、１より大きい場合（第１形態）だけでなく、１未満の場合においても、スレッショルド値が（標準スレッショルド値）×（両ゲイン値の積）から算出されるので、コンプレッサ１４３のスレッショルド値を、標準スレッショルド値より小さい値に設定することができる。
【００９３】
なお、この例示では、両ゲイン値の積が１である場合に、スレッショルド値を標準スレッショルド値とし、両ゲイン値の積が１未満である場合に、スレッショルド値を標準スレッショルド値より小さい値としたが、スレッショルド値を下げる場合の閾値を１以外の値とすることにより、標準スレッショルド値を用いる範囲を広げてもよい。即ち、例えば、スレッショルド値を下げる場合の閾値を０．８とし、両ゲイン値の積が０．８から１までの範囲である場合に、スレッショルド値を標準スレッショルド値とし、両ゲイン値の積が０．８未満である場合に、スレッショルド値を標準スレッショルド値より小さい値にする、等の構成であってもよい。
【００９４】
図９（ａ）は、コンプレッサ１４３のスレッショルド値を下げた場合における低音増強部１５０の入出力特性を示すグラフである。このグラフにおいて、横軸は低音増強部１５０に入力される信号の入力レベルを対数で示し、縦軸は低音増強部１５０から出力される信号の出力レベルを対数で示す。
【００９５】
ドライブ操作子１０４ｃ及びゲイン操作子１０４ｄによりそれぞれ設定されたゲイン値の積（即ち、両ゲイン値の積）が１未満である場合、コンプレッサ１４３のスレッショルド値は、ＴＨ（標準スレッショルド値）からＴＨ’に下げられる。スレッショルドの値がＴＨからＴＨ’に変更されたことにより、ＴＨを閾値とする２本の線（実線又は二点鎖線のＢ１，二点鎖線Ｂ２）から構成される折れ線Ｂから、ＴＨ’を閾値とする２本の線（実線Ｂ１，実線Ｂ４）から構成される折れ線Ｂに変更される。上述した通り、低音増強部１５０に入力される信号の入力レベルがコンプレッサ１４３のスレッショルド値より常に小さい場合には、低音域の音が過度に増強されてしまう不都合が生じ得るが、各操作子１０４ｃ，１０４ｄにより設定されたゲイン値の積に応じてスレッショルド値を下げることにより、上記不都合の発生を防止できる。なお、スレッショルド値の変更を、第１実施形態のように上げる方を省略して、両ゲイン値の積が所定値未満である場合に下げる方だけ実行する構成としてもよい。
【００９６】
また、上記第１実施形態では、コンプレッサ１４３のスレッショルド値を、各操作子１０４ｃ，１０４ｄにより設定されたゲイン値の積に応じて変更し、スレッショルド値を変更する閾値を「（両ゲイン値の積＝）１」としたが、この閾値は「１」に限らず、スピーカ装置１の設計に応じた値を適宜採用してよい。例えば、図７に示したパラメータ設定処理において、Ｓ３の処理において、ＣＰＵ１１が、両ゲイン値の積が１．２以下であるか否かを判定する構成としてもよい。なお、上記第２実施形態についても同様に、スレッショルド補正部１４３ｅにおいて、時間平均されたエンベロープレベルを除するための除数（即ち、所定レベルの値）を適宜変更することにより、スレッショルド値が変更される閾値を変更することができる。
【００９７】
また、上述した変形例のように、スレッショルド値を上げることも下げることもできる構成とした場合には、スレッショルド値を上げる場合の閾値（両ゲイン値の積）と、スレッショルド値を下げる場合の閾値とを異なる値としてもよい。例えば、スレッショルド値を上げる場合の閾値を１．０とし、スレッショルド値を下げる場合の閾値を０．８としてもよい。この例の場合には、両ゲイン値の積が１以上である場合に、コンプレッサ１４３のスレッショルド値は、標準スレッショルド値より大きくなり、両ゲイン値の積が０．８から１までの範囲である場合に、スレッショルド値は、標準スレッショルド値に等しくなり、両ゲイン値の積が０．８未満である場合に、スレッショルド値は、標準スレッショルド値より小さい値となる。
【００９８】
また、上記第１実施形態では、各操作子１０４ｃ，１０４ｄにより設定されたゲイン値との積に応じて、スレッショルド値を（標準スレッショルド値）×（両ゲイン値の積）から算出する構成としたが、スレッショルド値の算出式としては、上記式に限らず、例えば、（両ゲイン値の積）を２乗した値を、標準スレッショルド値に乗算して算出したり、等、種々の算出式を適宜採用できる。また、各操作子１０４ｃ，１０４ｄにより設定されたゲイン値との積についても、各ゲイン値を２乗した値の積、等としてもよい。
【００９９】
また、上記第１実施形態では、各操作子１０４ｃ，１０４ｄにより設定されたゲイン値との積に応じて、スレッショルド値を演算により求める構成としたが、（両ゲイン値の積）とスレッショルド値との関係を定めたテーブルや、入力レベルとスレッショルド値との関係を定めたテーブルを予め用意し、このテーブルを、両ゲイン値の積に基づき参照してスレッショルド値を決定する構成としてもよい。この場合には、上記第１実施形態のように、スレッショルドを両ゲイン値の積の所定値に応じて基準のスレッショルドから変更するのではなく、スレッショルドを、各操作子１０４ｃ，１０４ｄにより設定された両ゲイン値や、入力レベルに応じて絶対的に決定することも可能となる。例えば、入力レベルが大きくなるに連れてより大きな値のスレッショルドが設定され、入力レベルが小さくなるに連れてより小さな値のスレッショルドを設定されるようなテーブルを用意することにより、スレッショルドを入力レベルに応じて絶対的に決定することができる。なお、（両ゲイン値の積）又は入力レベルとスレッショルド値との関係を定めたテーブルとしては、（両ゲイン値の積）又は入力レベルの増加に対して、スレッショルド値が連続的に増加するものであってもよいし、段階的に増加するものであってもよい。
【０１００】
また、上記第２実施形態では、時間平均されたエンベロープレベルを所定レベルで除算した商が１未満である場合には、その商を標準スレッショルド値に乗算することなく、標準スレッショルド値を、制御信号生成部１４３ｂに供給する補正スレッショルド値とする構成としてもよい。これにより、時間平均されたエンベロープレベルが所定レベルより大きい場合にのみ、スレッショルド値を上げることができる。逆に、上記商が１より大きい場合に、その商を標準スレッショルド値に乗算することなく、標準スレッショルド値を補正スレッショルド値とし、それにより、時間平均されたエンベロープレベルが所定レベルより小さい場合にのみ、スレッショルド値を下げる構成としてもよい。また、補正スレッショルド値を算出する式としては、（時間平均されたエンベロープレベルを所定レベルで除算した商）を２乗した値を、標準スレッショルド値に乗算して算出したり、等、種々の算出式を適宜採用できる。また、時間平均されたエンベロープレベルを除するための適用した除数を、所定レベルを２乗した値、等としてもよい。
【０１０１】
また、上記第１実施形態では、高ゲイン設定時（各操作子１０４ｃ，１０４ｄにより設定されたゲイン値との積が１より大きい場合）には、コンプレッサ１４３のスレッショルド値を標準スレッショルド値より大きくすることにより、低音増強部１５０に入力される信号のレベルが大きい場合であっても低音域の音圧が不足することを防ぐ構成であった（図６（ｃ）参照）。これに換えて、高ゲイン設定時に、スレッショルド値以上の入力レベルに対する入出力レベル比（利得、ゲイン）を標準設定時より大きくする構成としてもよい。例えば、高ゲイン設定時に、制御信号生成部１４３ｂにおいて生成するレベル制御用の制御信号を、標準設定時の値に入出力レベル比を上げるための所定のゲイン値を乗算したものとする。あるいは、乗算器１４４又は乗算器１４４とは異なる乗算器に設定するゲイン値を、通常ゲイン設定時には１とし高ゲイン設定時には１よりも大きな値とする構成であってもよい。この場合、乗算器１４４とは異なる乗算器は、コンプレッサ１４３の前段に設けても後段に設けてもよい。
【０１０２】
図９（ｂ）は、この変形例における低音増強部１５０の入出力特性を示すグラフである。このグラフにおいて、横軸は低音増強部１５０に入力される信号の入力レベルを対数で示し、縦軸は低音増強部１５０から出力される信号の出力レベルを対数で示す。ＴＨ以下の二点鎖線Ｂ１と、ＴＨ以上の二点鎖線Ｂ２とから構成される折れ線Ｂは、各操作子１０４ｃ，１０４ｄにより設定されたゲイン値の積が１以下である場合（通常設定時）の入出力特性である。各操作子１０４ｃ，１０４ｄにより設定されたゲイン値の積が１より大きい場合（高ゲイン設定時）に、入出力レベル比を標準設定時より大きくすることにより、入出力特性は、二点鎖線Ｂ１およびＢ２から構成される折れ線Ｂから、実線Ｂ５およびＢ６から構成される折れ線Ｂに変更される。この変更により、想定される入力信号の最大レベルより大きいレベルにおいて、実線Ｂ６と点線Ｌとが交わるようになるので、スレッショルド値を変更する場合（第１実施形態）と同様に、想定される入力信号の最大レベルより大きなレベルについても、入力信号のレベルを増強して出力することができる。
【０１０３】
あるいは、高ゲイン設定時に、スレッショルド値以上の入力レベルについてコンプレッサ１４３（制御信号生成部１４３ｂ）のレシオを、入出力特性の傾きが標準設定時より大きくなるように設定する構成としてもよい。
【０１０４】
図９（ｃ）は、この変形例における低音増強部１５０の入出力特性を示すグラフである。このグラフにおいて、横軸は低音増強部１５０に入力される信号の入力レベルを対数で示し、縦軸は低音増強部１５０から出力される信号の出力レベルを対数で示す。ＴＨ以下の実線Ｂ１と、ＴＨ以上の二点鎖線Ｂ２とから構成される折れ線Ｂは、通常設定時の入出力特性である。高ゲイン設定時に、コンプレッサ１４３のレシオを、入出力特性の傾きが標準設定時より大きくなるように設定することにより、折れ線ＢにおけるＴＨ以上の二点鎖線Ｂ２が、この線Ｂ２より傾きの大きい実線Ｂ７に変更される。この変更により、想定される入力信号の最大レベルより大きいレベルにおいて、実線Ｂ７と点線Ｌとが交わるようになるので、スレッショルド値を変更する場合（第１実施形態）と同様に、想定される入力信号の最大レベルより大きなレベルについても、入力信号のレベルを増強して出力することができる。
【０１０５】
また、上記第２実施形態では、図８に示したように、エンベロープレベル検出部１４３ａにおいて検出されたエンベロープレベルを、時間平均部１４３ｄにおいて時間平均されたエンベロープレベルに基づき、標準スレッショルド値を補正する構成としたが、標準スレッショルド値を補正する方法としては、これに限らず、他の方法を採用してもよい。例えば、図１０に示すように、エンベロープレベル検出部１４３ａとは別にエンベロープレベル検出部を設け、この別途設けたエンベロープレベル検出部において検出されたエンベロープレベルに基づき、標準スレッショルド値を補正する構成としてもよい。
【０１０６】
図１０は、第２実施形態の変形例において低音増強処理部１５１で実行される処理の流れを模式的に示す機能ブロック図である。なお、図１０において、上述した第２実施形態と同一の部分には同一の符号を付し、その説明を省略する。この変形例での低音増強部１５１は、上述した第２実施形態の低音増強部１５１が有していた時間平均部１４３ｄに換えて、第２エンベロープレベル検出部１４３ｆが設けられている。
【０１０７】
図１０に示すように、コンプレッサ１４３に入力された信号は、エンベロープレベル検出部１４３ａと、第２エンベロープレベル検出部１４３ｆと、乗算器１４３ｃとに供給される。
【０１０８】
第２エンベロープレベル検出部１４３ｆは、まず、入力信号の瞬時値の絶対値を求め、次いで、求めた絶対値が、ＲＡＭ１３に記憶されている前回のエンベロープレベル（前回に第２エンベロープレベル検出部１４３ｆにおいて検出された値）より大きい場合には、求めた絶対値を目標値として、前回のエンベロープレベルを所定の第１の時定数で漸近させた値を、今回のエンベロープレベルの値としてＲＡＭ１３に記憶する（書き換える）。一方で、求めた絶対値がＲＡＭ１３に記憶されている前回のエンベロープレベル以下である場合には、その前回のエンベロープレベルを所定の第２の時定数で減衰させた値を今回のエンベロープレベルとしてＲＡＭ１３に記憶する。なお、第２の時定数は、第１の時定数より遅く設定されているとともに、エンベロープレベル検出部１４３ａにおいてエンベロープレベルを減衰させる際に用いた時定数より遅く設定されている。第２エンベロープレベル検出部１４３ｆにおいて上記処理を実行することにより、時間平均的なエンベロープレベルを検出することができる。
【０１０９】
第２エンベロープレベル検出部１４３ｆにより検出された（今回の）時間平均的なエンベロープレベルは、スレッショルド補正部１４３ｅに供給される。スレッショルド補正部１４３ｅは、第２エンベロープレベル検出部１４３ｆから入力されたエンベロープレベル（時間平均的なエンベロープレベル）に基づき、標準スレッショルド値を補正し、補正スレッショルド値を算出する。具体的には、第２エンベロープレベル検出部１４３ｆから入力されたエンベロープレベルを所定レベルで除算した商を、標準スレッショルド値に乗算することにより、補正スレッショルド値を算出する。スレッショルド補正部１４３ｅにおいて算出された補正スレッショルド値は、制御信号生成部１４３ｂに供給される。
【０１１０】
上記第２実施形態（図８参照）や、その変形例（図１０参照）において、時間平均化された（又は、時間平均的な）エンベロープレベルを算出する際に、ヒステリシス特性を持たせるようにしてもよい。例えば、エンベロープレベル検出部１４３ａにおいて今回検出されたエンベロープレベルの、前回に検出されたエンベロープレベルに対する変化方向が、それまでのエンベロープレベルの変化方向とは逆方向であった場合に、エンベロープレベルの変化量が所定未満である場合には、補正スレッショルド値として前回と同じ値を設定する。これにより、エンベロープレベルの経時的な変動をスレッショルドに反映させ難くすることができ、音質をより好適なものにすることができる。
【０１１１】
また、上記第２実施形態において、時間平均化されたエンベロープレベルに基づいて、図９（ｂ）に示したような入出力レベル比の変更や、図９（ｃ）に示したようなレシオの変更を行う構成としてもよい。また、第１実施形態（各操作子１０４ｃ，１０４ｄの操作位置に基づく入出力特性の変更）及び第２実施形態（入力信号のレベルに基づく入出力特性の動的な変更）において、高ゲイン設定時に、上述したスレッショルド値の変更、入出力レベル比の変更、及びレシオの変更を、適宜組み合わせてもよい。
【０１１２】
また、上記各実施形態では、Ｌｏｗ＿Ｂｏｏｓｔブロック１４ｃにおいて、低音増強部１５０に入力して増強する信号の周波数を、１００Ｈｚ以下の信号としたが、例えば、２００Ｈｚ以下の信号であってもよい。
【０１１３】
また、上記各実施形態では、チャンネルデバイダ１４１が、入力信号を２チャンネルに分割する構成としたが、少なくとも１チャンネルが低音域であれば、分割する周波数帯域は２チャンネル以上であってもよい。
【０１１４】
なお、チャンネルデバイダ１４１により入力信号が３チャンネル以上に分割され、そのうちの２チャンネル以上が低音域に属する周波数帯域である場合には、それらの低音域の周波数帯域の全てに対して低音増強部１５０による増強を行う必要はなく、必要に応じた少なくとも１つの周波数帯域に対して低音増強部１５０による増強を行えばよい。
【０１１５】
例えば、チャンネルデバイダ１４１により、入力信号が、高音域と、第１低音域と、第１低音域よりも低い音域である第２低音域との３チャンネルに分割される場合に、低音域に属する２つの帯域（第１低音域、第２低音域）のうち、第１低音域あるいは第２低音域だけを低音増強部１５０に入力して増強するように構成してもよい。
【０１１６】
また、例えば、上記のように３チャンネルに分割された場合に、第１低音域と第２低音域とのそれぞれに対して低音増強部１５０を設け、各帯域の信号をそれぞれの低音増強部１５０に入力して増強する構成であってもよい。このとき、各周波数帯域に対応する低音増強部１５０での増強具合（例えば、スレッショルド値やレシオの値など）は、周波数帯域毎に異なる構成であってもよい。
【０１１７】
また、上記各実施形態では、Ｌｏｗ＿Ｂｏｏｓｔブロック１４ｃにおいて、コンプレッサ１４３の後段に乗算器１４４を設ける構成としたが、乗算器１４４を前段とし、その後段にコンプレッサ１４３を設けたり、コンプレッサ１４３の前後に乗算器を設ける構成としてもよい。
【０１１８】
また、上記各実施形態では、Ｌｏｗ＿Ｂｏｏｓｔブロック１４ｃの前段に、Ｏｖｅｒ＿Ｄｒｉｖｅブロック１４ａとＧａｉｎブロック１４ｂとを設ける構成としたが、Ｇａｉｎブロック１４ｂだけの構成であってもよい。かかる場合には、ゲイン操作子１０４ｄにより設定されたゲイン値に応じてスレッショルド値を変更する構成とすればよい。例えば、スレッショルド値を（標準スレッショルド値）×（ゲイン操作子１０４ｄにより設定されたゲイン値）から算出するようにすればよい。
【０１１９】
あるいは、Ｏｖｅｒ＿Ｄｒｉｖｅブロック１４ａ及びＧａｉｎブロック１４ｂに加えて、Ｌｏｗ＿Ｂｏｏｓｔブロック１４ｃに入力される信号のレベルを大きくする別のブロックが１以上設けられていてもよい。かかる場合には、例えば、スレッショルド値を（標準スレッショルド値）×（各ブロックに設定されるゲイン値の積）から算出するようにすればよい。
【０１２０】
また、上記各実施形態では、Ｇａｉｎブロック１４ｂは、ゲイン操作子１０４ｄにより設定されるゲイン値が１より大きい場合に、通過する信号に対する入出力レベル比を上げるとともに歪みを発生させる構成としたが、歪みを発生させず、通過する信号に対する入出力レベル比を上げるだけの構成であってもよい。
【０１２１】
また、上記各実施形態では、スピーカ装置１をバスレフ構造のスピーカ装置として説明したが、密閉式のスピーカ装置に、Ｌｏｗ＿Ｂｏｏｓｔブロック１４ｃ（低音増強部１５０）の機能を搭載する構成としてもよい。
【０１２２】
また、上記各実施形態では、Ｌｏｗ＿Ｂｏｏｓｔブロック１４ｃの機能を、パワーアンプ１０６を有するスピーカ装置１の制御装置１０５に搭載する構成としたが、パワーアンプや、パワーアンプを備えたスピーカ装置に接続される別体の機器に、Ｌｏｗ＿Ｂｏｏｓｔブロック１４ｃの機能を搭載する構成としてもよい。この、Ｌｏｗ＿Ｂｏｏｓｔブロック１４ｃの機能が搭載された別体の機器には、Ｏｖｅｒ＿Ｄｒｉｖｅブロック１４ａや、Ｃｈｏｒｕｓブロック１４ｅや、Ｒｅｖｅｒｂブロック１４ｆなどの、効果を付与する機能を有していてもよい。この場合も、上記各実施形態と同様に、Ｏｖｅｒ＿Ｄｒｉｖｅブロック１４ａは、Ｌｏｗ＿Ｂｏｏｓｔブロック１４ｃより前段に配置することが好ましい。
【０１２３】
また、上記各実施形態では、スピーカ装置１の入力端子１０４ｂに接続される端子を、ベースの出力端子としたが、ベースに接続されたエフェクタの出力が入力端子１０４ｂに入力される構成であってもよい。
【０１２４】
また、上記各実施形態では、スピーカ装置１に接続される弦楽器として、ベースを例示したが、ベースに限らず、低音域を出力可能な弦楽器であれば、Ｌｏｗ＿Ｂｏｏｓｔブロック１４ｃ（低音増強部１５０）による低音域の好適な増強を享受できる。
【０１２５】
また、上記各実施形態では、各ブロック１４ａ〜１４ｇの機能をＤＳＰ１４によるデジタル処理により実現する構成としたが、アナログ回路により実現する構成としてもよい。
【符号の説明】
【０１２６】
１                  スピーカ装置（スピーカ装置）
１１                ＣＰＵ（制御手段）
１４                ＤＳＰ（制御手段）
１４ａ              Ｏｖｅｒ＿Ｄｒｉｖｅブロック（入力レベル調整手段、効果装置）
１４ｂ              Ｇａｉｎブロック（入力レベル調整手段）
１４ｃ              Ｌｏｗ＿Ｂｏｏｓｔブロック
１４ｅ              Ｃｈｏｒｕｓブロック（効果装置）
１４ｆ              Ｒｅｖｅｒｂブロック（効果装置）
１０１              スピーカ
１０２              バスレフポート（バスレフ用の開口部）
１０４ｃ            ドライブ操作子（ゲイン設定手段）
１０４ｄ            ゲイン操作子（ゲイン設定手段）
１０５              制御装置（低音増強処理装置）
１０６              パワーアンプ
１４１              チャンネルデバイダ（帯域分割手段）
１４３              コンプレッサ（圧縮手段）
１４３ｅ            スレッショルド補正部（監視手段、制御手段）
１４４              乗算器（増強手段）
１５０              低音増強部（低音増強処理手段）
１５１              低音増強部（低音増強処理手段）
Ｓ２，Ｓ７          入力レベル調整手段
Ｓ３，Ｓ４，Ｓ８    制御手段
【図１】
2012156649.tif 000003
【図２】
2012156649.tif 000004
【図３】
2012156649.tif 000005
【図４】
2012156649.tif 000006
【図５】
2012156649.tif 000007
【図６】
2012156649.tif 000008
【図７】
2012156649.tif 000009
【図８】
2012156649.tif 000010
【図９】
2012156649.tif 000011
【図１０】
2012156649.tif 000012